(57)【要約】  本発明は、画像表示スクリーンに表示される画像におけるグラフィカルオブジェクトの属性の値を制御するために示され、この画像表示スクリーンに表される位置表示子の使用を有すると共に、ユーザイベントを発生させ、画像表示スクリーンに表される前記位置表示子の位置を制御するためのユーザ対話ツールの使用も有する。本方法は、前記属性の値が対のユーザイベント間の時間の長さにより制御されるように、この属性の値を時間にマッピングすることにより、さらに効率よくグラフィカルオブジェクトの属性の制御を行う。本発明は、コンピュータプログラム、医用画像の視察及び／又は処理をするためのウェブサービス、撮像システム、ワークステーション及び画像管理通信システム（ＰＡＣＳ）にも関する。
2009509225.tif 000002
【特許請求の範囲】
【請求項１】
画像表示スクリーンに表示される画像におけるグラフィカルオブジェクトの属性の値を制御する方法であり、前記方法は前記画像表示スクリーンに表される位置表示子の使用を有すると共に、さらにユーザイベントを発生させ、前記画像表示スクリーンに表される前記位置表示子の位置を制御するためのユーザ対話ツールの使用も有し、それにより前記ユーザ対話ツールは前記グラフィカルオブジェクトに関連する前記画像表示スクリーンの位置に前記位置表示子を位置決めするのに使用され、一対のユーザイベントは前記ユーザ対話ツールを用いてユーザにより開始される方法において、前記属性の値は、前記一対のユーザイベント間の時間の長さにより制御されることを特徴とする方法。
【請求項２】
前記属性の値は、当該値が制御されるように、前記画像表示スクリーンに前記グラフィカルオブジェクトの前記属性として視覚的に表示されることを特徴とする請求項１に記載の方法。
【請求項３】
第２の前記ユーザイベントは、前記画像表示スクリーンに表示される前記位置表示子が第１の前記ユーザイベントが開始したのと略同じ位置にあるときに開始することを特徴とする請求項１に記載の方法。
【請求項４】
その位置に前記位置表示子が位置決めされる、前記グラフィカルオブジェクトに関連する前記画像表示スクリーンにおける位置は、前記属性の値の前記制御が終了したとき、前記グラフィカルオブジェクトに含まれている位置であることを特徴とする請求項１又は２に記載の方法。
【請求項５】
画像表示スクリーンに表示される画像におけるグラフィカルオブジェクトの属性の値を制御するためのコンピュータプログラムであり、前記画像表示スクリーン上の位置表示子の位置を制御するために使用される第１のデータをユーザ対話ツールから入力し、さらに前記ユーザ対話ツールを用いて発生した一対のイベントを表す第２のデータを前記ユーザ対話ツールから入力するためのコードを有するコンピュータプログラムにおいて、前記属性の値は、前記一対のイベント間の時間の長さにより制御されることを特徴とするコンピュータプログラム。
【請求項６】
前記コンピュータプログラムは、前記属性の値を、当該属性の値が制御されるように、前記グラフィカルオブジェクトの属性として前記画像表示スクリーンに表示するためのコードをさらに有することを特徴とする請求項５に記載のコンピュータプログラム。
【請求項７】
請求項５又は６に記載のコンピュータプログラムを有するコンピュータプログラムプロダクト。
【請求項８】
請求項５又は６に記載のコンピュータプログラムを有する医用画像の視察をするためのプログラム。
【請求項９】
請求項５又は６に記載のコンピュータプログラムを有する医用画像の前記視察及び／又は処理をするためのウェブサービス。
【請求項１０】
前記コンピュータプログラムは、サーバーでアクセス可能となるように構成されると共に、リモートコンピュータによりアクセス可能となるように構成されることを特徴とする請求項９に記載のウェブサービス。
【請求項１１】
請求項５又は６に記載のコンピュータプログラムを有する医用画像の収集及び前記視察をするための撮像システム。
【請求項１２】
請求項５又は６に記載のコンピュータプログラムを有する医用画像の前記視察及び処理をするためのワークステーション。
【請求項１３】
請求項５又は６に記載のコンピュータプログラムを有する画像管理通信システム（ＰＡＣＳ）。
【発明の詳細な説明】
【技術分野】
【０００１】
本発明は、画像表示スクリーンに表示される画像におけるグラフィカルオブジェクトの属性の値を制御する方法に関する。この方法は、画像表示スクリーンに表される位置表示子の使用を有すると共に、さらにユーザイベントを発生させ、画像表示スクリーンに表される位置表示子の位置を制御するためのユーザ対話ツールの使用も有し、それによりユーザ対話ツールは、前記グラフィカルオブジェクトに関連する画像表示スクリーンの位置に前記位置表示子を位置決めするのに使用され、一対のユーザイベントは前記ユーザ対話ツールを用いてユーザにより開始される。
【０００２】
画像表示スクリーンに表示される画像のあるポイントにカーソルを位置決め、必要なオブジェクトの模範バーションをそこに置き、次に前記オブジェクトが必要な大きさとなるまで、前記画像において前記オブジェクトの一方の属性、例えば長さ又は半径をドラッグするハンドルを使用することにより、コンピュータ処理されたグラフィカルオブジェクト、例えば線分、円又は他のより複雑な構造を作成することが一般的に知られている。これは、ユーザ対話ツールを用いてカーソルを置き、例えばボタンの押し下げのような、前記対話ツールとの何らかのユーザ対話を開始する能力、及び同時に画像表示スクリーンにハンドルをドラッグする能力をユーザに要求するので、ユーザ対話ツール技術の組み合わせを必要とする。
【背景技術】
【０００３】
米国特許公報US4,633,641号は、例えば円のようなグラフィカルオブジェクトの製造及び大きさは、画像表示スクリーンに表示される画像に位置表示子（この事例ではカーソル）を位置決めするのに用いられるユーザ対話ツール（この事例ではジョイスティック）を用いて制御される。ジョイスティックは、この事例ではジョイスティックのボタンを押し下げることにより、ユーザイベントを発生させるのに用いられ、上記ユーザイベントの各々は円の半径を１ピクセルずつ増大させる。前記円が適当な大きさになったとき、ユーザはＦ１０ボタンを押し下げ、円を膨らませる命令を終了させる。この方法は、前記ジョイスティックによる最初のカーソル配置と繰り返されるカーソル操作との組み合わせを必要とするので、コンピュータグラフィックを制御するために、様々なユーザ対話ツール技術間において複雑な対話も要求する。
【発明の開示】
【発明が解決しようとする課題】
【０００４】
本発明の目的は、グラフィカルオブジェクトの作成又は編集をより効果的な制御により制御することである。
【０００５】
これは、本発明により達成され、これにより属性の値は、一対のユーザイベント間の時間の長さにより制御される。
【０００６】
グラフィカルオブジェクトは、画像表示スクリーン上の画像に表示される如何なるオブジェクトとすることが可能であり、グラフィカルオブジェクトの例の非排他的リストは、関心領域、円、線分、矩形、２つの線分間にある固定角、セグメント用メッシュ又は輪郭を含んでいる。他の例も可能であり、これらは当業者に知られている。
【０００７】
様々な属性の形式が存在している。
【０００８】
グラフィカルオブジェクトの属性のある形式は、視覚的に表示されるとき、閲覧者がグラフィカルオブジェクトをそのままの姿で認識すること、又はグラフィカルオブジェクトを類似形式の他の上記グラフィカルオブジェクトと区別することを可能にする如何なるパラメタでもある。言い換えると、たとえ画像空間内にあったとしても、それは構造的属性と考えられる。このようなパラメタは、従来知られているような、例えば半径、長さ、色、メッシュパッチのサイズ及び方位を含んでいる。これらグラフィカルオブジェクトは、前記属性が特定の値をとることを可能にすることにより、必要なサイズ及び方位で表示される。例えば、円であるグラフィカルオブジェクトの半径が３ｃｍの値をとる、又は矩形であるグラフィカルオブジェクトが、この矩形の辺の長さとして用いられる、両方の長さが４ｃｍ及び５ｃｍの値を持つ２つの属性により規定される。システムプロセッサは、前記値をグラフィカルオブジェクトの属性に加え、その結果を表示する。グラフィカルオブジェクト及びそのオブジェクトを描くために用いられる固有の属性に依存して、各々の正確な値がスクリーンに表されるか、又は従来知られているように、較正係数を用いて表示前にスケーリングされる。
【０００９】
属性の他の形式は、ユーザによりグラフィカルオブジェクトに割り当てられる、何らかのパラメタである。割り当てられる属性の例は、ユーザの特定の確信度であり、ここでユーザは、グラフィカルオブジェクトが正しく発生したとユーザがどの位確信しているかにより、自動発生するグラフィカルオブジェクトに対して示したいと欲している。言い換えると、前記オブジェクトが画像内の正しい座標に位置決めされたとユーザがどの位確信しているかにより、ユーザが特定した特別な確信度はこれに非常に関係している。他の例は、ユーザが特定した重要性であり、ここでユーザは、何らかのユーザが理解した基準を用いて、特定のグラフィカルオブジェクトがどの位重要であるかに関する情報をグラフィカルオブジェクトに割り当てるために本発明を使用する。同様に、ユーザは、画像内の他のオブジェクトの組に対して前記画像内のグラフィカルオブジェクトが持っている重要度を示す重要度の順位付けをグラフィカルオブジェクトに割り当てる。ユーザにより割り当てられる場合、上記割り当てられたパラメタは、主観的なパラメタと考えられる。
【課題を解決するための手段】
【００１０】
本発明は、ユーザイベントを製造するようにプログラムされる如何なるユーザ対話ツールで使用される。ユーザイベントは、前記ユーザ対話ツールを活性化させることにより、前記ユーザによって前記システムプロセッサに送られる何らかの信号である。ユーザ対話ツールは、ユーザからシステムプロセッサへの伝達経路を提供するために構成される何らかのツールとすることができ、従って数ある中でもコンピュータのマウス、ジョイスティック、コンピュータのペン及びキーボードを含んでいる。本発明は、何らかの手動又はペダル式で動作するユーザ対話ツールに特に有効に利用される。
【００１１】
上手く達成されるべき画像表示スクリーンにグラフィカルオブジェクトを表示するために、このグラフィカルオブジェクトの如何なる構造的属性の値も前記表示を制御するシステムプロセッサに伝達されなければならない。このシステムプロセッサは、必要とされる又は規定される属性値を持つ画像表示スクリーンにグラフィカルオブジェクトを構成するために、前記属性を使用する。属性及びこれら属性の値は本質的にグラフィカルオブジェクトの表示を規定する。前記属性の値を制御及び規定することにより、ユーザは、画像表示スクリーンにグラフィカルオブジェクトがどの位見えるかを制御する。如何なる割り当てられた主観的パラメタも適当な時期に視覚的に表示される。
【００１２】
米国特許公報US4,622,641号におけるように、前記属性の値を制御するために、連続するユーザイベント又は一連の異なるユーザイベントを使用する代わりに、本発明は時間間隔、つまり属性の値を制御するためのユーザ対話装置のユーザイベント間の時間差を使用する。言い換えると、この属性の値は、ユーザ対話ツールにより製造されるユーザイベント数、すなわちハンドルがドラッグされる距離ではなく、時間の長さで制御される。この時間の長さは、ユーザ対話ツールにより制御されると共に、システムプロセッサにより定量化されることができる。本発明は、時間に対する前記属性の値のマッピングだと思われるような他のやり方を模索することができる。結果生じる値は、これら値がいわゆる構造的属性の値である場合、グラフィカルオブジェクトを構成するために、システムプロセッサにより用いられる。これら結果生じる主観的に割り当てられた属性は、コンピュータパッケージ又は行っているデータ処理活動に有用であるように、前記システムにより使用される。
【００１３】
前記属性の値を制御するためにユーザイベント間の時間間隔を使用する技術的特徴は、グラフィカルオブジェクトがより効果的なやり方でどの位見えるかをユーザが制御することを可能にすると共に、これらグラフィカルオブジェクトに関する情報をユーザが制御することを可能にする。前記属性の値に対するユーザイベント間の時間間隔のマッピングは、より簡単なユーザ対話を必要としながら、必要とされる値を製造する。これにより、図面、制御及び／又は取り扱い手続きの簡略化を可能にして、全体的なユーザ対話を減少させる。前記属性の値に対するユーザイベント間の時間間隔をマッピングする特徴は、ユーザ対話の１つ小さな形状又は形式を可能にする。この特徴は、グラフィカルオブジェクトの属性のより効率的な制御を可能にして、これにより、効率的なやり方でグラフィカルオブジェクトの作成及び編集を制御する方法の問題を解決する。
【００１４】
本発明を利用する場合、ユーザイベントの発生は、使用されるユーザ対話ツールの形式により決められる。例えば、本発明をコンピュータのマウスを用いてグラフィカルオブジェクトを描画するのに利用する場合、システムプロセッサに伝達されるユーザイベントを提供するためのオプションは、マウスボタンを使用する実行されるマウスのクリック、マウスボタンが押し下げられたが、まだ放されてはいない、別の方法ではマウスダウンとして当業者に知られる、マウスのクリックの開始又は噛み合い、マウスを接触感知型のマウスパッドと接触させること、既に押し下げられていたマウスボタンを放す、マウスアップとして当業者に知られるマウスクリックの終了、接触感知型のマウスパッドからマウスを取り除くこと、を含んでいる。当業者により知られるように、システムプロセッサにより解釈可能なユーザイベントを生じさせる全ての動作が存在している。
【００１５】
ユーザ対話ツールがジョイスティックである場合、ユーザイベントを発生させることが可能である主な対話は、ジョイスティックの操作である。しかしながら、このジョイスティックがボタンを含んでいる場合、このとき、マウスのボタンにより製造することが可能である同じユーザ対話は、このジョイスティックのボタンにより発生することができる。
【００１６】
同様に、ユーザ対話ツールは、タブレットとして従来よく知られているペンパッドと共同するコンピュータペンである場合、ユーザイベントを発生させることが可能である対話は、ペンパッドにペンを降ろす、ペンパッドをペンで叩く、及びペンパッドからペンを離すことを含む。
【００１７】
ユーザ対話ツールがキーボードである場合、ユーザイベントを発生させることが可能である対話は、キーが押し下げられ保持されるキーの押し下げ、通常のキータイピングとしてキーが押し下げられ次に放されるキーのタッピング、及び既に押し下げられたキーが放されるキーの開放を含む。
【００１８】
画像表示スクリーンの画像にコンピュータ処理されたグラフィックオブジェクトを描画することに対する本発明の応用は、前記画像を表示するのに用いられるシステムの当業者により容易に行われることができ、本発明を利用するのに用いられる正確なコードは、使用されるコンピュータパッケージ及びオペレーティングシステムに依存してあり、従ってこの文書の範囲を超えている。
【００１９】
所望の直径であり、コンピュータ画像内の所望する位置に置かれる円を描く実施例は、本発明の特に例示的な説明を可能にする。この実施例は、時間に対する円の半径をマッピングすることにより、円がどのように描かれるかを示す。この円が描かれる実施例は以下の通りである。この実施例において、普通に使用され、用途も広いユーザ対話ツールの例として、コンピュータのマウスがユーザ対話ツールとして使用される。ユーザは、円の中心が必要とされる場所を画像に示すために、このマウスを操作して位置表示子又はカーソルを制御する。ユーザは次いで、ユーザイベント、例えばボタンの押し下げ又はクリックを起こし、前記システムは円の半径に対する増分値の計算を始める。ユーザが第２のユーザイベント、例えば他のボタンの押し下げを起こす場合、円の半径に対する値が増加するのを止め、半径の値と設定される。正しい半径の値で作成された円は次いで前記スクリーンに表示され、カーソルにより示されるポイントに中心が置かれている。２つのボタンのクリックを提供することの簡単な代替は、半径の成長を始めさせるためにマウスボタンを押し下げ、半径の成長を終わらせるために前記ボタンを放すことをユーザに行わせることである。
【００２０】
この特定の実施例において、位置表示子が目的とする円の中心に位置決めされているが、これは実際に必要ではない。この位置表示子は、製造されるグラフィカルオブジェクトに関係しているように、システムプロセッサにより識別される画像表示スクリーンの画像のどこかに置かれる。例えば、代替として、前記位置表示子は、"円"とラベル表示された画像に対する横枠(side pane)の位置である。第１のユーザイベントを発生するとき、円の半径の値は増加を始め、第２のユーザイベントを発生するとき、この半径の値の増加を止める。この円が一旦完全に生成及び表示されると、円は画像のどこにでも置かれる。
【００２１】
半径が増大している間、画像内にその半径が図形表示されてもよいが、される必要も無い。言い換えると、半径及び／又は円は、２つのユーザイベント間の時間間隔においてリアルタイムで成長するように描かれてもよい。これが画像に示される場合、ユーザに有益であるとしても、如何なる瞬間での円のサイズの明瞭且つ状況的な視覚的フィードバックをユーザに提供するので、それは実際に必要ない。如何なる瞬間での円の半径の値は、他のやり方でユーザに伝達されることができる。例えば、この値が画像表示スクリーンの横枠に数値で示されることが可能である。これは、画像の拡大係数、従って画像内にある個々のアイテムの相対的なサイズを知っているユーザが特定のサイズの円が必要とされるのを事前に知っていた場合、特に有利である。
【００２２】
本発明は、画像内の所望の位置に円を描くだけではなく、存在している円の属性をさらに制御又は編集することにも使用されることができる。この場合、ユーザイベント間の時間は、制御されている属性をさらに修正するのに使用される。円の場合、マウスによる第１のユーザ対話は半径の増加又は減少を起こし、第２のユーザ対話はこの値がこれ以上変化するのを止める。
【００２３】
半径の値、言い換えると属性の値がシステムプロセッサにより増加する方法は、当業者の設計事項である。例えば、円を作成する実施例において、半径の属性に対し零の初期値が設定され、この値は、ユーザイベント間の時間間隔が増加するので、増分ステップで増加する。前記増分ステップの大きさは、撮像パッケージにおける当業者の設計事項である。円を編集する実施例において、半径の属性の初期値は、既にこの半径に割り当てられた値である。
【００２４】
本発明を如何なる特定のプログラムを利用している状況で、本発明がユーザにより入手される方法は、当業者の設計事項である。例えば、前記プログラムは、それにより円の配置及び成長を開始する、ユーザがクリックするためのボタンを提供する。この円はその後、マウスを用いてユーザにより示されるカーソルの位置に中心が置かれる。後続するユーザイベントの対が半径の成長を開始及び停止を行い、画像内に成長した円の配置を可能にする。
【００２５】
本発明の他の実施例をユーザに提供する方法の例として、ユーザは、ボタンをクリックすることにより円の成長プログラムを開始して、その後マウス又はコンピュータペンを用いることにより、マウス又はペンの配置を認識するために構成されるマウス又はペンパッドを共に併用して、半径の値の成長を開始する第１のユーザイベントとして前記マウス又はペンを簡単に下げる。ユーザは前記マウス又はペンを前記パッドから持ち上げることにより第２のユーザイベントを開始する。これは、ユーザがプログラムを開始する前に画像の正しい位置にカーソルを位置決めしたい場合、又は円を画像の正しい位置に操作する前に正しいサイズの円を最初に作成したい場合に特に有用である。
【００２６】
本発明が円の半径を増加又は減少させるのに利用される方法の例として、本発明が利用されるプログラムは、ユーザが編集するための存在する円を選択し、円周の外側の位置でユーザイベントを開始する場合、円の半径は増加する一方、ユーザが円周の内側でユーザイベントを開始する場合、円の半径は減少するように構成される。
【００２７】
そしてさらに、円の実施例は画像内に球体を描画するのに利用される。
【００２８】
本発明は、画像表示スクリーンに表示される画像におけるグラフィカルオブジェクトの属性の値を制御するためのコンピュータプログラムにも関する。このコンピュータプログラムは、画像表示スクリーン上の位置表示子の位置を制御するのに使用される第１のデータをユーザ対話ツールから入力し、このユーザ対話ツールを用いて発生した一対のイベントを表す第２のデータを前記ユーザ対話ツールから入力するためのコードを有する。
【００２９】
この場合、コンピュータプログラムは、前記属性の値が前記一対のイベント間の時間の長さにより制御されることを特徴とする。このようなプログラムは、本発明の方法を実行するように設計される。
【００３０】
本発明は特に、整形外科の分析ソフトウェアに応用可能である。このようなソフトウェアの使用は、ユーザに複雑なシーケンスのグラフィカルオブジェクトを作ることを要求する。
【００３１】
これにより、本発明は、医用画像の視察をするためのプログラム、医用画像の視察及び／又は処理をするためのウェブサービス、医用画像の収集及び視察をするための撮像システム、医用画像の視察及び処理をするためのワークステーション、並びに画像管理通信システム(PACS: Picture Archiving and Communication System)にも関する。
【発明を実施するための最良の形態】
【００３２】
本発明のこれら及び他の態様は、添付される図面を参照してさらに説明される。
【００３３】
図１は円の実施例に適用されるような発明を示し、この実施例において、円は方法の使用が終わるまで表示されない。カーソル１０１は表示スクリーン上に見ることができ、ユーザは時間ｔ＝０でユーザイベントを開始して、次に時間ｔ＝ｔ１後に第２のユーザイベントを開始する。これら２つのユーザイベント間の時間差ｔ１は、円の半径ｒ１を計算するのに用いられ、ここで、ｒ１＝｛ｆ（ｔ１）｝であり、言い換えると、ｒ１はｔ１の関数であり、適切な半径を持つ円が表示される。
【００３４】
図２は円の実施例に適用されるような発明を示し、この実施例において、円は前記方法の使用中に表示される。ここで、カーソル２０１は表示スクリーン上に見ることができ、ユーザは時間ｔ＝０でユーザイベントを開始して、次に時間ｔ＝ｔ４後にユーザイベントを開始する。第１のユーザイベントにおいて、円はカーソルのポイント周辺で成長を始め、この円の半径は、時間と共に増大する。半径の成長は時間ｔ４で終わり、中間の時間ｔ１、ｔ２及びｔ３において、円は半径が増大しているように表示される。この円の表示は連続的である、又はこの円の半径が一定値に達した場合にのみ、前記画像表示スクリーン上に表示されるかである。
【００３５】
図３は、円の半径が増大する、円の編集の実施例に適用されるような発明を示す。カーソル３０１は、ユーザにより円３０２の存在する円周の外側の位置を示すのに用いられる。ユーザはユーザイベントを開始して、半径が成長を始める。増大している円は、ユーザイベント間の時間間隔中に表示されるような図に示されるが、これは必要ではない。時間ｔ２後に、ユーザは、他のユーザイベントを開始して、前記円は膨張を止める。
【００３６】
図４は、円の半径が減少する、円の編集の実施例に利用されるような発明を示す。カーソル４０１は、ユーザにより円４０２の存在する円周の内側の位置を示すのに用いられる。ユーザはユーザイベントを開始して、半径は縮小を始める。縮小している円は、ユーザイベント間の時間間隔中に表示されるような図に示されるが、これは必要ではない。時間ｔ２の後、ユーザは他のユーザイベントを開始して、前記円は縮小を止める。
【００３７】
成長又は縮小を示すために、前記存在する円の円周の外側又は内側にカーソルを位置決めすることは、本発明を使用する場合、当業者が編集及びグラフィカルオブジェクトの成長、又は編集及びグラフィカルオブジェクトの縮小が行われていることをシステムプロセッサに知らせるために使用される。当業者により知られているように、グラフィカルパッケージにおけるオプションがユーザにより入手され得る様々なやり方があり、これは、設計事項であり、本発明の主題ではない。
【００３８】
本発明の他の利用がここに記載されている。
【００３９】
本発明は、楕円の描画にも利用される。知られているように、楕円は２つの軸である、長軸及び短軸を持つ。第１のユーザイベントの開始時に、これら軸の一方は、零から、第２のユーザイベントが発生するまで長さの増加を始め、そのポイントにおいて、前記第１の軸はこれ以上長さを増加させず、他方の軸が零から長さの増加を始める。第３のユーザイベントにおいて、前記第２の軸はこれ以上長さを増加させず、楕円が完成する。
【００４０】
これが実際に起こる方法の実施例として、第１のユーザイベントは、ユーザが楕円の中心を置くことを望む画像内の位置でのマウスのクリック、又は既に必要とされる位置にカーソルが置かれている場合、マウスのボタンを押すこと(mouse-down)である。この第１のイベントは、第１の軸の長さの値の成長を開始する。第２のユーザイベントはマウスのクリックである。これは、第１の軸の長さがこれ以上値を増加させるのを止めて、第２の軸の長さの値の成長を開始する。第３のユーザイベントは、他のマウスのクリック又はマウスボタンを放すこと(mouse-up)であり、例えば第２の軸の長さをこれ以上増加させるのを止める。完成した楕円は、スクリーン上に見ることができる。
【００４１】
本発明は、平行線又は垂線の描画にも利用される。この実施例において、平行線の長さは、例えば既に画像表示スクリーン上に表示される線分を選択し、次いで既に選択された線分に平行な他の線分の成長を開始させる第１のユーザイベントを始めることにより制御される。第２のユーザイベントを開始する際、第２の線分の成長は止まる。そして更に、この方法は垂線の描画にも利用される。
【００４２】
本発明は、線分上又は輪郭上にあるポイントの作成にも利用される。これは、例えば線分上又は輪郭上にあるポイントを選択し、次いで第１のユーザイベントを開始することにより達成される。選択されたこのポイントはこのとき、例えば点（ドット）の表示により視覚的に特定され、次いでユーザが、前記ポイントの動きを止めさせる第２のユーザイベントを開始するまで、前記線分又は輪郭に沿って移動する。
【００４３】
円の描画に対する本発明の応用を拡張したものとして、本発明は、輪郭の形状で関心領域を描画又は制御することにも適用され得る。多くの医用応用において、関心領域が画像上において特定及び表示される。このような輪郭は、従来知られるようなしきい値化及び領域成長の処理によりしばしば規定される。本発明は、輪郭表示の問題にも適用され、輪郭を作成又は編集する如何なる既知の方法にも利用される。この実施例は、医用画像上におけるポリープ及び肺結節の特定にも利用される。ユーザは、画像内において特定可能であるポリープ及び結節を示すために、様々な円が成長する又は輪郭が成長する実施例を使用することが可能である。
【００４４】
本発明は、パラメタをグラフィカルオブジェクトに割り当てるのにも使用されることが可能である。これは、例えばポリープ又は肺結節を特定する確率を評価するときの医用画像評価において特に有利である。幾つかのポリープ又は肺結節が既に特定された画像を考慮すると、ユーザは、ユーザがこの特定が正しかったとどの位確信しているかを示すために本発明の方法を用いる。ユーザが前記特定した特徴において第１のユーザイベントを開始するとき、例えば診断の不確信度を示す値が増加を始め、ユーザが第２のユーザイベントを開始するときにのみ増加が止まる。言い換えると、ユーザが特徴の診断に関する不確信度を増やすほど、ユーザがユーザイベント間を長くすることを可能にする。時間間隔が長くなるほど不確信度は高くなる、すなわち逆に確信度は下がり、全ての特定された特徴に対するこれら値が表示される。これは、ユーザが特定された特徴を順位付け又は記録することを可能にする簡単でしかも直観的な方法を提供する。それは医師の診断の比較を可能にするために使用されることも可能である。ポリープ及び肺結節を自動的に検出する、及び予め手動で検出することの両方が利用される。
【００４５】
同様に、本発明の方法は、例えばユーザがグラフィカルオブジェクトの自動位置決めにどの位同意しているかを示すことをユーザに可能にするために使用される。オブジェクトの上記自動配置に続き、ユーザは、位置決めされたオブジェクトにユーザイベントを開始して、オブジェクトが正しく位置決めされたとユーザが確信する又は確信していない量に比例する幾分経った時間で第２のユーザイベントを開始する。この実施例は、ユーザイベント間の時間の長さが不確信度に比例している場合、より直観的に利用される。後者の場合、この実施例を一連の自動生成したグラフィカルオブジェクトに適用する結果は、ユーザがその位置は不正確だと思っている程度に基づく成績（スコア）を各オブジェクトが持つことである。
【００４６】
他の実施例において、本発明は、一連のグラフィカルオブジェクトに順位付けを割り当てるために用いられる。この場合、ユーザは第１のユーザイベントを開始して、ユーザがオブジェクトをどの位重要だと考えているかに依存する幾分経った時間で第２のユーザイベントを開始する。この実施例は、ユーザが全てのオブジェクトを同時に考慮すること、及びこれらオブジェクト間の順位付けを決めることを必要とせずに、ユーザが個々のグラフィカルオブジェクト各々の評価に基づいて順位付けを割り当てることが可能となるので、特に有用である。
【００４７】
割り当てられた属性が主観的である場合、幾分時間が経つまで、属性の表示を控える必要がある。これは、ユーザが即時の又は迅速なフィードバックを必要としない又は要求しない場合、例えば本発明が順位付けを割り当てるために用いられる場合、特に有用である。割り当てられたように、如何なる前記順位付けの表示もユーザが見ることができないと言う事実は、例えば位置、大きさ及び如何なる解剖学的特徴のような特徴自身の態様だけを考慮している間、ユーザが特徴の重要度を評価することを可能にする。
【００４８】
見られるように、本発明の方法は、ユーザがグラフィカルオブジェクトの属性を制御する効果的な方法を可能にする。
【図面の簡単な説明】
【００４９】
【図１ａ】円の実施例に適用されるような、方法の使用が終わるまで円が表示されない発明を示す。
【図１ｂ】円の実施例に適用されるような、方法の使用が終わるまで円が表示されない発明を示す。
【図１ｃ】円の実施例に適用されるような、方法の使用が終わるまで円が表示されない発明を示す。
【図２ａ】円の実施例に適用されるような、方法の使用中に円が表示される発明を示す。
【図２ｂ】円の実施例に適用されるような、方法の使用中に円が表示される発明を示す。
【図２ｃ】円の実施例に適用されるような、方法の使用中に円が表示される発明を示す。
【図２ｄ】円の実施例に適用されるような、方法の使用中に円が表示される発明を示す。
【図２ｅ】円の実施例に適用されるような、方法の使用中に円が表示される発明を示す。
【図３ａ】円を編集する実施例に適用されるような発明を示す。
【図３ｂ】円を編集する実施例に適用されるような発明を示す。
【図３ｃ】円を編集する実施例に適用されるような発明を示す。
【図４ａ】円を編集する実施例に適用されるような発明をさらに示す。
【図４ｂ】円を編集する実施例に適用されるような発明をさらに示す。
【図４ｃ】円を編集する実施例に適用されるような発明をさらに示す。
【図１ａ】
2009509225.tif 000003
【図１ｂ】
2009509225.tif 000004
【図１ｃ】
2009509225.tif 000005
【図２ａ】
2009509225.tif 000006
【図２ｂ】
2009509225.tif 000007
【図２ｃ】
2009509225.tif 000008
【図２ｄ】
2009509225.tif 000009
【図２ｅ】
2009509225.tif 000010
【図３ａ】
2009509225.tif 000011
【図３ｂ】
2009509225.tif 000012
【図３ｃ】
2009509225.tif 000013
【図４ａ】
2009509225.tif 000014
【図４ｂ】
2009509225.tif 000015
【図４ｃ】
2009509225.tif 000016